(57)【要約】【課題】  有線ＬＡＮ接続と充電とが同時に可能な携帯端末スタンド装置を提供すること。【解決手段】  携帯端末の姿勢を固定する携帯端末スタンド装置であって、携帯端末とネットワークとの通信を可能にするＬＡＮポート１２と、携帯端末を充電するための電力を伝送する電源ケーブル１１と、携帯端末と接続可能に構成され、ＬＡＮポート１２を介したデータの送受信を行うとともに、電源ケーブル１１から伝送される電力を携帯端末に供給するコネクタ１３とを具備し、コネクタ１３が、当該携帯端末スタンド装置の上面に配設されることを特徴とする。【選択図】  図４
2020043690.tif 000002
【特許請求の範囲】
【請求項１】
携帯端末の姿勢を固定する携帯端末スタンド装置であって、
前記携帯端末とネットワークとの通信を可能にする通信インターフェースと、
前記携帯端末を充電するための電力を伝送する電源インターフェースと、
前記携帯端末と接続可能に構成され、前記通信インターフェースを介したデータの送受信を行うとともに、前記電源インターフェースから伝送される電力を前記携帯端末に供給するコネクタと
を具備し、
前記コネクタが、当該携帯端末スタンド装置の上面に配設されることを特徴とする、携帯端末スタンド装置。
【請求項２】
前記コネクタが、前記上面に対して所定の角度で傾斜して配設されることを特徴とする、請求項１に記載の携帯端末スタンド装置。
【請求項３】
前記コネクタが、前記上面の中心より前方に配設されることを特徴とする、請求項１または２に記載の携帯端末スタンド装置。
【発明の詳細な説明】
【技術分野】
【０００１】
本発明は、携帯端末スタンド装置に関する。
【背景技術】
【０００２】
近年、情報通信技術の高度化に伴い、スマートホン端末やタブレット端末などの携帯端末で動画を鑑賞する利用形態が普及している。このような利用形態においては、データ通信量が大きくなることから、通信キャリアを介してのネットワーク接続よりも、ＬＡＮ（Local Area Network）接続による通信を好むユーザが多い。
【０００３】
携帯端末をＬＡＮ接続する技術は種々のものが提案されているが、特開２０１４−５０８３４７（特許文献１）には、無線接続と有線接続とを組み合わせたネットワークでファイル共有を行う構成が開示されている。特許文献１によれば、複合的なネットワークを介した通信を行うことができる。
【０００４】
ところで、携帯端末で長時間にわたり動画を鑑賞するような場合には、データ通信量だけでなく、バッテリの消費量も大きくなる。したがって、安定的なデータ通信と併せて、携帯端末に電源を供給して、充電させることが好ましい。また、携帯端末を把持しながら動画を長時間鑑賞すると、ユーザの疲労を増大させることにもなる。そのため、ユーザの利便性のさらなる向上が望まれていた。
【発明の概要】
【発明が解決しようとする課題】
【０００５】
本発明は、上記従来技術における課題に鑑みてなされたものであり、有線ＬＡＮ接続と充電とが同時に可能な携帯端末スタンド装置を提供することを目的とする。
【課題を解決するための手段】
【０００６】
すなわち、本発明によれば、携帯端末の姿勢を固定する携帯端末スタンド装置であって、
前記携帯端末とネットワークとの通信を可能にする通信インターフェースと、
前記携帯端末を充電するための電力を伝送する電源インターフェースと、
前記携帯端末と接続可能に構成され、前記通信インターフェースを介したデータの送受信を行うとともに、前記電源インターフェースから伝送される電力を前記携帯端末に供給するコネクタと
を具備し、
前記コネクタが、当該携帯端末スタンド装置の上面に配設されることを特徴とする、携帯端末スタンド装置が提供される。
【発明の効果】
【０００７】
上述したように、本発明によれば、線ＬＡＮ接続と充電とが同時に可能な携帯端末スタンド装置が提供される。
【図面の簡単な説明】
【０００８】
【図１】本発明の実施形態における携帯端末スタンド装置の構成を示す図。
【図２】本実施形態の携帯端末スタンド装置の正投影図。
【図３】本実施形態の携帯端末スタンド装置の詳細な構造の例を示す側面図。
【図４】本実施形態の携帯端末スタンド装置にスマートホン端末を搭載した例を示す図。
【図５】本実施形態の携帯端末スタンド装置に含まれる機能ブロック図。
【発明を実施するための形態】
【０００９】
以下、本発明を、実施形態をもって説明するが、本発明は後述する実施形態に限定されるものではない。なお、以下に参照する各図においては、共通する要素について同じ符号を用い、適宜その説明を省略するものとする。
【００１０】
図１は、本発明の実施形態における携帯端末スタンド装置（以下、「スタンド装置１０」として参照する）の構成を示す図である。本実施形態のスタンド装置１０は、電力を供給するための電源ケーブル１１と、有線によるＬＡＮ接続を行うためのＬＡＮポート１２と、携帯端末と接続するためのコネクタ１３とを具備して構成される。また、スタンド装置１０の内部には、電源系統と通信系統とを併せてコネクタ１３に出力する回路を含んで構成される。
【００１１】
電源ケーブル１１は、商用電源やＡＣアダプタなどから供給される電力を伝送する。電源ケーブル１１から供給される電力は、スタンド装置１０のコネクタ１３を介して携帯端末に出力され、当該携帯端末を充電することができる。図１では、携帯端末に充電するための電源系統のインターフェースとして、スタンド装置１０の筐体から電源ケーブル１１が延びる例に示しているが、実施形態を限定するものではない。他の実施形態では、例えば、ＵＳＢコネクタを設けることで電源ケーブル１１を脱着可能な構成としてもよい。
【００１２】
ＬＡＮポート１２は、ＬＡＮケーブルを接続し、各種データを送受信するためのインターフェースである。ＬＡＮポート１２は、ＬＡＮケーブルを介して、モデム、ハブ、ルータなどの機器と接続することができ、これによってスタンド装置１０上に搭載された携帯端末はネットワークと有線通信することができる。
【００１３】
コネクタ１３は、スタンド装置１０の上面に配設され、携帯端末に備えられるソケットと接続可能に構成される。コネクタ１３が携帯端末と接続されると、電源ケーブル１１からの電力を供給することで、当該携帯端末を充電するとともに、ＬＡＮポート１２と接続される機器を介したネットワーク通信ができるようになる。
【００１４】
なお、以下に説明する本実施形態のスタンド装置１０は、図１のような直方体形状を例に説明するが、実施形態を限定するものではない。したがって、スタンド装置１０は、他の形状であってもよい。
【００１５】
図２は、本実施形態のスタンド装置１０の正投影図であり、図２（ａ）は平面図を、図２（ｂ）は左側面図を、図２（ｃ）は右側面図、図２（ｄ）は正面図を、それぞれ示している。なお、図２では、スタンド装置１０の背面図、下面図は省略している。
【００１６】
図２に示すように、本実施形態のスタンド装置１０の上面には、コネクタ１３が配設されている。これによって、スタンド装置１０の上面に携帯端末を立てることができるので、ユーザが把持せずに携帯端末の姿勢を固定できる。また、コネクタ１３は、図２（ｂ）、（ｃ）に示すように、スタンド装置１０の後方に所定の角度に傾けた構成とすることができる。ここで、コネクタ１３の傾斜について、図３を以て説明する。図３は、本実施形態のスタンド装置１０の詳細な構造の例を示す側面図である。
【００１７】
図３（ａ）は、本実施形態のスタンド装置１０の右側面図を拡大した図である。図３（ａ）に示すように、コネクタ１３は、スタンド装置１０の上面に対して垂直な方向から、後方にθだけ傾斜している。ここで、携帯端末の一例として参照されるスマートホン端末５０とコネクタ１３とを接続すると、図３（ｂ）のように、スマートホン端末５０の画面も、スタンド装置１０の垂直方向から後方にθだけ傾斜する。このように、後方に傾けたコネクタ１３と、携帯端末とを接続することで、携帯端末の画面を視認しやすい角度で固定することができる。また、コネクタ１３を配設する位置をスタンド装置１０の中心よりも前方として、後方に傾けることで、スタンド装置１０と携帯端末とを一体とした際に、重心を安定させることができる。
【００１８】
説明を図２に戻す。スタンド装置１０は、図２（ｂ）に示すように、側面には電源ケーブル引出口１１ａやＬＡＮポート１２が設けられており、他の機器と接続可能に構成されている。したがって、本実施形態のスタンド装置１０は、携帯端末の固定、充電、ネットワークへの接続を複合的に行うことができる。なお、電源ケーブル引出口１１ａやＬＡＮポート１２は、側面以外の箇所に設けられてもよい。
【００１９】
図４は、本実施形態のスタンド装置１０にスマートホン端末５０を搭載した例を示す図である。図４に示す例では、スタンド装置１０のコネクタ１３と、スマートホン端末５０のソケット部とが嵌合し、スマートホン端末５０は、スタンド装置１０の上面に所定の角度にて固定されている。また、スタンド装置１０のＬＡＮポート１２には、ＬＡＮケーブル３０が挿入され、ルータなどの外部の通信機器と接続されている。
【００２０】
図４に示すように、本実施形態のスタンド装置１０にスマートホン端末５０を載せることで、スマートホン端末５０の位置を安定して固定することができる。また、姿勢の固定と同時に充電やネットワーク接続を行うことができるので、スマートホン端末５０を長時間にわたり稼働させるような場合であっても、バッテリの低下や通信の途絶などの不便を解消できる。
【００２１】
図５は、本実施形態のスタンド装置１０に含まれる機能ブロック図である。本実施形態のスタンド装置１０は、通信部２１、電源部２２、制御部２３．端末接続部２４を含んで構成される。
【００２２】
通信部２１は、ＬＡＮポート１２と接続されるＬＡＮケーブル３０を介して、携帯端末とネットワークとを通信する手段である。電源部２２は、外部より入力される電力を電圧、電流などを携帯端末が受電できる形態に変換し、携帯端末を充電するための手段である。
【００２３】
制御部２３は、本実施形態のスタンド装置１０と接続される携帯端末と、他の機器などとの接続を制御する手段である。制御部２３は、通信部２１、電源部２２と、端末接続部２４とを仲介する制御を行い、データの転送や充電の制御などを行うことができる。端末接続部２４は、コネクタ１３を介して接続される携帯端末に対して、データの送受信や充電電力の出力を行う手段である。
【００２４】
なお、上述した各機能ブロックは、種々の回路などによって実現することができる。また、上述した各機能ブロックは、電源ケーブル１１、ＬＡＮポート１２、コネクタ１３などの各種インターフェースと協働して機能を実現する構成とすることができる。
【００２５】
以上、説明した本発明の実施形態によれば、有線ＬＡＮ接続と充電とが同時に可能な携帯端末スタンド装置を提供することができる。
【００２６】
以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。
【符号の説明】
【００２７】
１０…スタンド装置、
１１…電源ケーブル、
１２…ＬＡＮポート、
１３…コネクタ、
２１…通信部、
２２…電源部、
２３…制御部、
２４…端末接続部、
３０…ＬＡＮケーブル、
５０…スマートホン端末
【先行技術文献】
【特許文献】
【００２８】
【特許文献１】特開２０１４−５０８３４７号公報
【図１】
2020043690.tif 000003
【図２】
2020043690.tif 000004
【図３】
2020043690.tif 000005
【図４】
2020043690.tif 000006
【図５】
2020043690.tif 000007